【手続補正書】
【提出日】平成27年9月16日(2015.9.16)
【手続補正１】
【補正対象書類名】明細書
【補正対象項目名】０００９
【補正方法】変更
【補正の内容】
【０００９】
ある態様では、本発明は被覆ガラスから成るサンプル又は試料を設けるための光ボックスに関する。光ボックスは六面ボックスを有して成っていてよく、サンプル又は試料は六面の内部近傍又は六面の内部に配置されていてよい。光ボックスの内部は、当該ボックスの内部の色を変更できる取り外し可能で取り換え可能なパネルを有していてよい。光ボックスの六面のいくつかは開閉可能であってよい。ある態様では、例えば、光ボックスの１つ以上の前面、背面、および上面は、その場の（例えば、設置した）被覆ガラスの外観を理解するためにガラス試料を観察することができるよう選択的に開かれていてよい。すなわち、例えば、光ボックスの前面を開いた際の光ボックスの外部からの試料の光景は、その場で建物又は他の構造物の外部からのガラスの外観と似ているかもしれない。別の例では、光ボックスの背面を開いた際の当該ボックスの後部から、および当該ボックスを通じての試料の眺めは、その場で建物又は他の構造物の内部からのガラスの外観と似ているかもしれない。従って、光ボックスを用いて、フルサイズの実物模型を作成し又は被覆ガラスを完全に取り付けることを要することなく、ガラス上の異なるコーティングの外観がその場で観察され得る。
【手続補正２】
【補正対象書類名】明細書
【補正対象項目名】００１１
【補正方法】変更
【補正の内容】
【００１１】
図面を参照すると、試料観察デバイス１００は、六面形状で示されている。上記で示すように、試料観察デバイス１００は、当該デバイス１００に設けられた又は当該デバイス１００内に設けられた試料５０に供される光の角度および/又は光量を制御するように構成され得る。そのような六面ボックスが示されている一方、試料観察デバイス１００は、ボックス、チューブ、チャネル、凹面構造の形態であってよく、又は、試料に到達する光を遮り、広げ、又は試料に到達する光量および光の角度を制御するための他の形状システム又はデバイスの形態であってよい。ある態様では、試料観察デバイス１００は、６面、又は、７面若しくは５面等の他の数から成る面、すなわち６面よりも多い他の数から成る面若しくは６面よりも少ない他の数から成る面を有した１つ以上の丸い帽子箱であってよい。更に他の態様では、試料観察デバイス１００は、示されるエンクロージャよりも大きな又は小さなエンクロージャであってよく、当該エンクロージャは、エンクロージャに配置されたコンパートメント（又は区画）を有して成っていてよい。例えば、コンパートメントは、部分的に又は完全に分離したパネルで分割される。エンクロージャを規定する壁若しくはパネル、又は、エンクロージャ内に供される分離したパネルは、摺動（又はスライドslide）し、ヒンジで移動してよい透明又は不透明なシャッター、又は、観察する１つ以上の試料を方向付けできる開閉可能な又は取り外し可能なシャッターを有した窓状の開口部を有していてよい。ある態様では、試料観察デバイスに試料を設けるための試料位置調整システムは、固定配置されてよく、又は、試料を傾け、回転し、移動し、又は調節することで調整可能であってよい。又、他の態様では、異なる大きさ又は形状の試料に適合させるために、例えば摺動又は延在させることで、試料観察デバイス１００の面又はパネルを調整できるようにしてよい。試料観察デバイスの一部は、当該デバイス内に入る又は試料に供される光量を選択的に制御するために、移動可能で、開閉可能で、又は調整可能であってよい。ある態様では、上記に示したシャッターは、枢動し、摺動し、回転し、開口し、又は取り外し可能であってよい。他の態様では、試料観察デバイスの一部は、シェード（又は陰）又はブラインド、又は光量を選択できるように開口し若しくは枢動してよい他の光制限デバイスと同様であってよい。更に他の態様では、チャンバーの不透明性を調整し、それによって、選択的に通過する光量を選択的に調整可能なガスが充填されたチャンバーを使用してもよい。又、試料観察デバイス１００は、例えば、試料に内部光および/又は外部光を方向づけ、又は、背景光を供するための光源を有して成っていてよい。
【手続補正３】
【補正対象書類名】明細書
【補正対象項目名】００１４
【補正方法】変更
【補正の内容】
【００１４】
図１に示すように、６面ボックス１０２は、左面１１０、右面１１２および底面１１４を有した鞍部（又はサドル部;saddle portion）を有して成っていてよい。左面１１０および右面１１２はこれらに対して略直角に底面１１４に対して取り付けられてよい。エンクロージャ１０２の用途および目的に応じて他の角度に設定されてもよい。左面１１０および右面１１２は、底面１１４に対してしっかりと接続されて、底面１１４に対する方向を維持してよい。ある態様では、左面１１０および右面１１２は、底面１１４にしっかりと取り付けられる別々の部品であってよい。６面ボックス１０２に使用される材料に応じて、面はツメ、ネジ、又はステープル等の留め具で底面１１４に取り付けられてよく、面１１０、１１２は底面１１４に溶接されていてよく、又は面１１０、１１２は底面１１４に接着されてよい。他の態様では、面１１０、１１２および底面は成型され、又は単一部品として形成されてよい。説明のため、ボックス１０２の面の位置は、下記のとおり規定されてよい。左面１１０が左側にあり、右面１１２が右側にあり、底面１１４が左面１１０から右面１１２又は底面１１４は右面１１２から左面１１０まで底面を横切って延在するような鞍部１０８を見る際、残りの面について下記の事を述べることができ得る。観察者に近い面は前面１１６であってよく、観察者とは反対側の面は背面１１８であってよく、左面から右面まで又は右面から左面までの上面を横切って延在している面は、ボックスの上面１２０であってよい。
【手続補正４】
【補正対象書類名】明細書
【補正対象項目名】００１７
【補正方法】変更
【補正の内容】
【００１７】
ラッチ１２２の特定の配置により、ラッチシステムの各々に対して開閉可能な面の各々が相互に区分けされる点で示されるラッチ１２２の特定の配置には利点があり得る。これは、開閉可能な面が実質的に固定された鞍部１０８に引っ掛けられ、又は外されるからである。そのようにして、他の前面１１６、背面１１８、および上面１２０のいずれかが開口されるかに関係なく、前面１１６、背面１１８、および上面１２０のいずれか１つは外され、開かれてよい。又、ラッチ１２２の他の配置がなされてもよい。ラッチは、係止された際に試料観察デバイスの各部分を一体的に強固に引っ張り、係止部分のラッキング（又は振り;racking）又は他の動作を抑制するために、絞り（又は引抜き;draw）ラッチであってよい。又、例えば、磁石、スナップ（又は留め金;snap）、フックおよびループ等のラッチ以外の他の取付けデバイスが供されてよい。
【手続補正５】
【補正対象書類名】明細書
【補正対象項目名】００２５
【補正方法】変更
【補正の内容】
【００２５】
又、試料位置調整システム１０４は、ラッチ１３４を有して成っていてよい。ラッチ１３４は、試料５０を配置できるように構成され、試料５０を固定するために所定位置に移動するように構成されていてよい。示される態様では、ラッチ１３４は、フック形状要素１３４から成っている。図示するように、フック形状要素１３４は、支持の右面に沿って配置されたピボットピンの周りで枢動可能であってよい。ある態様では、ピボットピンは、支持システム１３０の面内に挿入され、支持システム１３０の面に略垂直に配置されたネジ又は通しボルトであってよい。フック形状要素１３４は、試料５０に垂直および支持システム１３０の側面に平行な面で移動可能であってよい。図２Bに示すように、支持システム１３０の上面は、ラッチ１３４が試料の挿入および/又は除去のため試料５０の無い箇所で上昇移動できるようにラッチ１３４の上昇移動に適応するためのスペース又はギャップ１３８を有して成っていてよい。６面ボックス１０２の前面１１６、背面１１８、および上面１２０の各々を試料５０を自由にすることなく開いてよいので、ラッチ１３４のこの配置は有利であり得る。又、ラッチ１３４の他の配置が供されてよい。ラッチ１３４は、試料を固定するために閉鎖位置に向かって変更されていてよい。例えば、バネが、試料を固定するラッチ１３４にバイアスをかける（又は偏向する:bias）ために供されてよい。
【手続補正６】
【補正対象書類名】明細書
【補正対象項目名】００３３
【補正方法】変更
【補正の内容】
【００３３】
試料観察デバイス１００のいくつかの部分には、これに少なくとも部分的に透明な試料５０を位置付けるためにエンクロージャ１０２が供されてよい。エンクロージャ１０２には、試料５０の少なくとも一面にキャビティー（又は空洞:cavity）又は空間が供されてよく、背景色制御システム１０６には、キャビティー又は空間を囲む又は隣接する有色カセットが供されることで、キャビティー又は空間内に色が与えられてよい。試料観察デバイスは、彩色空間又は有色空間と屋外又は別の空間とを分離するガラスの外観の建造物内の彩色空間又は有色空間の効果に似ているかもしれない。この外観に作用するかもしれない建造物の他の外観（又は形相;aspect）に関連したガラス又はグレイジングのモデル化により、ガラス又はフィルムコートされたガラスの予想される外観の理解がより正確にされ、および/又はガラス又はフィルムコートされたガラスの予想される外観の理解が深められる上で有利であり得る。